(57)【要約】【課題】  Ｗｅｂサイトのコンテンツ配置構成を、当該Ｗｅｂサイトの利用者が意図する内容に容易に変更することを可能とする。【解決手段】  Ｗｅｂブラウザ上での利用者のＧＵＩ操作によりＷｅｂサイト内の各コンテンツの配置を変更可能とするために、各コンテンツに予め対応付けられた各画像を当該コンテンツのＷｅｂサイトにおける依存関係に応じた位置に配置したメンテナンス画面をクライアント装置１に送信してＷｅｂブラウザで表示させるメンテナンス画面処理部５と、メンテナンス画面での利用者による操作に基づく各画像の位置移動に応じて、移動した各画像の位置関係情報を取得してデータベースサーバ８に記憶する編集内容記憶処理部６と、メンテナンス画面上で移動された各画像の位置関係情報に応じて当該コンテンツの当該Ｗｅｂサイトにおける表示位置と各コンテンツの依存関係を変更するコンテンツ編集処理部７とを有するアプリケーションサーバ４を設ける。【選択図】        図１
2006268654.tif 000002
【特許請求の範囲】
【請求項１】
クライアント装置のＷｅｂブラウザで表示するＷｅｂサイト内の複数のコンテンツの配置を、Ｗｅｂブラウザ上でのＧＵＩ操作により変更するシステムであって、
上記Ｗｅｂサイトを提供するサーバ装置は、
上記Ｗｅｂサイト内の各コンテンツのそれぞれに予め対応付けられた複数の画像を当該コンテンツのＷｅｂサイトにおける依存関係に応じた位置に配置したメンテナンス画面を、上記クライアント装置に送信して上記Ｗｅｂブラウザで表示させるメンテナンス画面処理手段と、
上記Ｗｅｂブラウザで表示した上記メンテナンス画面での利用者による操作に基づく各画像の位置移動に応じて、移動した各画像の位置関係情報を記憶する編集内容記憶処理手段と、
上記メンテナンス画面上で移動された各画像の上記編集内容記憶処理手段で記憶した位置関係情報に応じて当該Ｗｅｂサイトにおける表示位置と当該コンテンツの依存関係を変更するコンテンツ編集処理手段と
を有することを特徴とするＷｅｂサイトコンテンツ配置変更システム。
【請求項２】
請求項１に記載のＷｅｂサイトコンテンツ配置変更システムであって、
上記サーバ装置は、
上記編集内容記憶処理手段において、上記メンテナンス画面で上記画像を移動させた利用者の識別情報を取得し、該識別情報を当該利用者の操作に応じた上記画像の位置関係情報に対応付けて記憶し、
上記編集内容記憶処理手段で記憶した識別情報の利用者からのＷｅｂサイト要求があれば、上記編集内容記憶処理手段で当該識別情報に対応付けて記憶した当該Ｗｅｂサイトを構成する各コンテンツに対応した各画像の位置関係情報を読み出して、該位置関係情報に応じて各コンテンツの位置および依存関係を変更したＷｅｂサイトを構成して送信する
ことを特徴とするＷｅｂサイトコンテンツ配置変更システム。
【請求項３】
コンピュータを、請求項１もしくは請求項２のいずれかに記載のＷｅｂサイトコンテンツ配置変更システムにおける各手段として機能させるためのプログラム。
【発明の詳細な説明】
【技術分野】
【０００１】
本発明は、Ｗｅｂサイト内のコンテンツの配置構成を利用者の操作に応じて変更する技術に係わり、特に、階層化された依存関係を有する複数のコンテンツの配置変更を容易に行うのに好適な技術に関するものである。
【背景技術】
【０００２】
一般的なＷｅｂサイトにおいて提供されるコンテンツ（情報）は、サイトを運営する側（サーバ運営者）の主観によって構成されている。その為、サイトから情報を得ようとする利用者（ブラウザ操作者）は、期待するコンテンツにたどり着くまでの経路が、自身が想定したコンテンツの依存関係と異なる場合が多い。この場合、そのＷｅｂサイトの利用を止めてしまうか、継続して利用したとしても、非常にストレスを抱えたまま利用することとなる。
【０００３】
こういった事態を改善する為に、多くの集客（Ｗｅｂサイトのビジター数）を集めようとするＷｅｂサイト運営側の多くは、個々の利用者を認識する機能を用いて、その利用者毎に情報の提供内容を任意に設定する場合が多い。
【０００４】
しかし、Ｗｅｂページ内のコンテンツの配置変更をする際には、文字情報を編集することを基本としている為、変更操作において少なからずキーボードという操作性の悪い装置を必要としており、当該操作に少なからずストレスを感じるものである。特に、任意に設定されたコンテンツの提供有無に関する設定内容が、それを設定した本人にも理解し辛く、意図する内容での変更が困難である。
【０００５】
また、例えば、特許文献１および特許文献２においては、１ページ分のＷｅｂページレイアウトを個々の利用者毎にカスタマイズする技術が記載されているが、情報が１ページに収まる場合には有効であるものの、複数ページに渡る多岐のＷｅｂサイト内での配置変更には対応できない。
【０００６】
【特許文献１】特開２００２−８２７４６号公報
【特許文献２】特開２００２−２３６６３８号公報
【発明の開示】
【発明が解決しようとする課題】
【０００７】
解決しようとする問題点は、従来の技術では、Ｗｅｂページ内のコンテンツの配置変更する際に文字情報を編集することを基本としている為、変更操作において少なからずキーボードという操作性の悪い装置を必要としている点と、任意に設定されたコンテンツの提供有無に関する設定内容がそれを設定した本人にも理解し辛く、コンテンツの配置を設定する手段に対する慣れを必要とする場合が多い点、および、複数ページに渡る多岐のＷｅｂサイト内でのコンテンツの配置変更には対応できない点である。
【０００８】
本発明の目的は、これら従来技術の課題を解決し、Ｗｅｂサイトのコンテンツ配置構成を、当該Ｗｅｂサイトの利用者が意図する内容に容易に変更することを可能とし、当該Ｗｅｂサイトの利便性を向上させて、当該Ｗｅｂサイトへのアクセス数の増加を図ることである。
【課題を解決するための手段】
【０００９】
上記目的を達成するため、本発明は、（１）クライアント装置のＷｅｂブラウザで表示するＷｅｂサイト内の複数のコンテンツの配置を、Ｗｅｂブラウザ上でのＧＵＩ操作により変更するシステムであって、Ｗｅｂサイトを提供するサーバ装置は、Ｗｅｂサイト内の各コンテンツのそれぞれに予め対応付けられた複数の画像を当該コンテンツのＷｅｂサイトにおける依存関係に応じた位置に配置したメンテナンス画面を、クライアント装置に送信してＷｅｂブラウザで表示させるメンテナンス画面処理部と、Ｗｅｂブラウザで表示したメンテナンス画面での利用者による操作に基づく各画像の位置移動に応じて、移動した各画像の位置関係情報を記憶する編集内容記憶処理部と、メンテナンス画面上で移動された各画像の編集内容記憶処理部で記憶した位置関係情報に応じて当該コンテンツの当該Ｗｅｂサイトにおける表示位置と各コンテンツの依存関係を変更するコンテンツ編集処理部とを有し、利用者がマウス等を用いたＧＵＩ操作により、Ｗｅｂサイト内のコンテンツの配置構成を容易に変更可能とすることを特徴としている。（２）また、本発明では、サーバ装置は、編集内容記憶処理部において、メンテナンス画面で画像を移動させた利用者の識別情報を取得し、この識別情報を当該利用者の操作に応じた画像の位置関係情報に対応付けて記憶し、編集内容記憶処理部で記憶した識別情報の利用者からのＷｅｂサイト要求があれば、編集内容記憶処理部で当該識別情報に対応付けて記憶した当該Ｗｅｂサイトを構成する各コンテンツに対応した各画像の位置関係情報を読み出して、この位置関係情報に応じて各コンテンツの位置および依存関係を変更したＷｅｂサイトを構成して送信することで、各利用者毎に最適にコンテンツがレイアウトされたＷｅｂサイトを提供することを特徴とする。
【発明の効果】
【００１０】
本発明によれば、Ｗｅｂサイト上のコンテンツを画像化して個々の利用者に提供することでマウスによる操作の対象とし、各コンテンツの配置位置および遷移関係を任意に設定することが可能となり、利用者の使い勝手が飛躍的に向上する。コンテンツの遷移関係は、Ｗｅｂサイトの利用者には、双方が依存する関係であると認識するものであり、遷移関係を任意に設定出来ることにより、依存関係を任意に設定できるという感覚を与えることとなる。また、設定されたコンテンツ間の遷移関係（依存関係）を、利用者を特定する情報（識別情報）と共にデータとして保存することで、コンテンツの遷移関係を一時的なものとしてではなく、時間経過後に利用者が当該Ｗｅｂサイトを訪れた場合でも、コンテンツの依存関係を維持し続けることが可能となる。
【発明を実施するための最良の形態】
【００１１】
以下、図を用いて本発明を実施するための最良の形態例を説明する。図１は、本発明に係わるＷｅｂサイトコンテンツ配置変更システムの構成例を示すブロック図であり、図２は、図１におけるＷｅｂサイトコンテンツ配置変更システムによるコンテンツと画像とを対応付けたテーブルの構成例を示す説明図、図３は、図１におけるＷｅｂサイトコンテンツ配置変更システムで表示されたＷｅｂサイトの初期画面例を示す説明図、図４は、図１におけるＷｅｂサイトコンテンツ配置変更システムで表示されたメンテナンス画面の初期画面例を示す説明図、図５は、図１におけるＷｅｂサイトコンテンツ配置変更システムで表示されたメンテナンス画面の変更操作後の画面例を示す説明図、図６は、図１におけるＷｅｂサイトコンテンツ配置変更システムで管理する利用者毎のコンテンツ構成例を示す説明図、図７は、図１におけるＷｅｂサイトコンテンツ配置変更システムで表示されたＷｅｂサイトの変更操作後の画面例を示す説明図、図８は、本発明に係わるＷｅｂサイトコンテンツ配置変更システムの処理動作例を示すフローチャートである。
【００１２】
図１において、１はＷｅｂサイトコンテンツの表示を行うＷｅｂブラウザを具備したクライアント装置、２はインターネット、３はＷｅｂサーバ、４はアプリケーションサーバ、８はデータベースサーバであり、Ｗｅｂサーバ３とアプリケーションサーバ４およびデータベースサーバ８は１つのサーバ装置で構成しても良く、あるいはそれぞれ個別のサーバ装置で構成しても良い。
【００１３】
サーバ装置およびクライアント装置１は、ＣＰＵ（Central Processing Unit）や主記憶装置（主メモリ）、表示装置、入力装置、外部記憶装置、周辺装置等を具備したコンピュータ構成からなり、周辺装置としての光ディスク駆動装置等を介してＣＤ−ＲＯＭ等の記憶媒体に記録されたプログラムやデータを外部記憶装置内にインストールした後、この外部記憶装置から主メモリに読み込みＣＰＵで処理することにより、各処理部の機能を実現する。
【００１４】
クライアント装置１においては、Ｗｅｂブラウザにより、Ｗｅｂサーバ３から配信されたＷｅｂサイトのコンテンツを表示すると共に、本発明に係わるメンテナンス画面を表示し、このメンテナンス画面で表示された、コンテンツ対応の画像に対する利用者の操作内容（配置変更）を、Ｗｅｂサーバ３を介してアプリケーションサーバ４に通知する（「コンテンツの位置を要素情報化」）。
【００１５】
Ｗｅｂサーバ３は、クライアント装置１からの要求に応じてコンテンツ（Ｗｅｂサイト）の配信を行い、アプリケーションサーバ４は、クライアント装置１からのメンテナンス画面での利用者の操作内容（配置変更）を受信すると、要求元の利用者に応じた内容でＷｅｂサイト内の各コンテンツを配置替えし、サーバ３を介して要求元のクライアント装置１のＷｅｂブラウザに送信する。
【００１６】
すなわち、アプリケーションサーバ４は、クライアント装置１のＷｅｂブラウザで表示するＷｅｂサイト内の複数のコンテンツの配置を、Ｗｅｂブラウザ上での利用者のＧＵＩ操作により変更するために、Ｗｅｂサイト内の各コンテンツのそれぞれに予め対応付けられた複数の画像を当該コンテンツのＷｅｂサイトにおける依存関係に応じた位置に配置したメンテナンス画面を、クライアント装置１に送信してＷｅｂブラウザで表示させるメンテナンス画面処理部５と、Ｗｅｂブラウザで表示したメンテナンス画面での利用者による操作に基づく各画像の位置移動に応じて、移動した各画像の位置関係情報を取得してデータベースサーバ８を介して要素情報９として記憶する編集内容記憶処理部６と、メンテナンス画面上で移動された各画像の編集内容記憶処理部６で記憶した位置関係情報（データベースサーバ８の要素情報９）に応じて当該コンテンツの当該Ｗｅｂサイトにおける表示位置と各コンテンツの依存関係を変更するコンテンツ編集処理部７とを有する。
【００１７】
また、本例では、アプリケーションサーバ４は、編集内容記憶処理部６において、メンテナンス画面で画像を移動させた利用者の識別情報を取得し、この識別情報を当該利用者の操作に応じた画像の位置関係情報に対応付けてデータベースサーバ８を介して要素情報９として記憶し、そして、編集内容記憶処理部６で記憶した識別情報の利用者からのＷｅｂサイト要求があれば、コンテンツ編集処理部７において、編集内容記憶処理部６で当該識別情報に対応付けて記憶した、当該Ｗｅｂサイトを構成する各コンテンツに対応した各画像の位置関係情報をデータベースサーバ８の要素情報９から読み出して、この位置関係情報に応じて各コンテンツを移動したＷｅｂサイトを構成して送信することで、各利用者毎に最適にコンテンツがレイアウトされたＷｅｂサイトを提供する。
【００１８】
以下、このような動作を、新聞社が運営するニュース情報発信のＷｅｂサイトでの適用例を用いて、具体的に説明する。
【００１９】
クライアント装置１のＷｅｂブラウザは、アプリケーションサーバ４およびＷｅｂサーバ３からインターネット２を介して配信された、図３に示すＷｅｂサイトの初期画面を表示する。この図３に示すＷｅｂサイトの初期画面を構成する各コンテンツに関しての情報は、図２に示すテーブル２１内容で、データベースサーバ８において管理されている。
【００２０】
すなわち、データベースサーバ８においては、図２のテーブル２１に示すように、Ｗｅｂサイトに用意された各コンテンツに対し、それぞれ一意の番号とコンテンツのサイト内での位置情報（コンテンツアドレス）および各コンテンツに予め対応付けられた当該コンテンツ内容を表す画像の当該サイト内での位置情報（画像アドレス）等の要素を格納する。
【００２１】
図２のテーブル２１においては、コンテンツ名が「経済」、「為替」、「天気」、「社会」、「政治」、「テレビ」のコンテンツそれぞれに１〜６の番号が一意に割り当てられ、例えば、「経済」には「１」の番号が割り当てられ、そのコンテンツアドレスとして「ｈｔｔｐ：／／ｗｗｗ．ａｂｃ．ｃｏ．ｊｐ／ｂｂｂ．ｈｔｍｌ」が、また、画像アドレスとして「ｈｔｔｐ：／／ｗｗｗ．ａｂｃ．ｃｏ．ｊｐ／ｉｍａｇｅｓ／ｅｃｏｎｏｍｙ．ｇｉｆ」が格納されている。
【００２２】
本例では、各画像をマウスを用いて操作することで、図３に示すＷｅｂサイトの初期画面３１の各コンテンツの配置構成を、クライアント装置１の利用者による操作に応じて変更するが、このような操作には、様々な従来技術を適用できる。以下、本例では、ダイナミックＨＴＭＬでの操作を例に挙げる。
【００２３】
Ｗｅｂブラウザは、一意の番号を割り当てられた各画像を、画像アドレスを基に特定して表示する。この各画像は、位置情報をofset命令で取得できるようにする。また、Ｗｅｂブラウザ上では、コンテンツ（画像）を一定間隔で移動できるように、グリッド幅を設定する。
【００２４】
ofset命令により取得されたコンテンツ位置とグリッド幅の差分を算出し、コンテンツの位置とグリッドの位置に差がある場合、コンテンツの位置をグリッドの近似値に置き換えることで、ブラウザ上では、マウス操作に基づき、あたかもコンテンツがグリッドに沿って移動しているように見える。
【００２５】
このような設定のもとで、実際のＷｅｂサイトの初期コンテンツの配置が図３に示すものであり、かつ、この図３の表示状態（Ｗｅｂサイトの初期画面３１）において、個々のコンテンツ遷移関係（依存関係）が以下のように成っているものとする。
【００２６】
「社会」─┬─「経済」────「為替」
├─「政治」
├─「テレビ」
└─「天気」
【００２７】
本例のアプリケーションサーバ４は、メンテナンス画面処理部５により、このようなＷｅｂサイトのコンテンツを画像化して移動可能とするための編集ページ（メンテナンス画面）を、図４に示すメンテナンス画面４１の内容で、Ｗｅｂブラウザに提供する。
【００２８】
Ｗｅｂブラウザの利用者は、図４に示すメンテナンス画面４１の表示内容の各コンテンツ（画像）をマウスを用いた操作によって任意の位置に移動する。例えば、図５のメンテナンス画面５１に示す表示内容となるよう移動すると、アプリケーションサーバ４は、編集内容記憶処理部６により、このようにして移動された各コンテンツの位置情報を取得する。
【００２９】
図５のメンテナンス画面５１に示すような変更が行われた場合、その設定者の意図は、各コンテンツの遷移関係（依存関係）を以下のように変更することである。
【００３０】
「政治」─┬─「経済」────「為替」
├─「社会」────「天気」
└─「テレビ」
【００３１】
この各コンテンツの遷移関係（依存関係）を、編集内容記憶処理部６では、以下の法則に従い数値化する。
【００３２】
（１）．第１層目のコンテンツに数値（１−０−０）を割り当てる。
（２）．第２層目以降のコンテンツには、自階層−１階層までの数値を継承する。自階層の桁には、画面上の上位に配置されたコンテンツから順に昇順の番号を割り当てる。自階層以降（２階層目の場合は、３階層目以降）の数値は常に０を割り当てる。
【００３３】
上記の法則に従って、図５に示すメンテナンス画面５１の状態を数値化すると、以下の通りとなる。
【００３４】
「経済」  （１）：１−１−０
「為替」  （２）：１−１−１
「政治」  （５）：１−０−０
「社会」  （４）：１−２−０
「天気」  （３）：１−２−１
「テレビ」（６）：１−３−０
【００３５】
このようにして数値化された依存関係と利用者を識別する情報を共にデータベースサーバ８において要素情報９として登録する。尚、メンテナンス画面４１，５１は、Ｗｅｂサイトのサイト地図（サイトマップ）そのものの役割をも担う。また、利用者を識別する識別する情報としては、従来から広く使われているユーザＩＤ等を用いる。
【００３６】
図５に示す変更を利用者Ａ氏のみが実施した場合、Ａ氏とコンテンツの関係は、図６の関係テーブル６１に示すようになる。尚、変更していないＢ氏に関しては、関係テーブル６１において、初期値のままである。
【００３７】
同一ユーザ（利用者）が以降、同じＷｅｂサイトを訪れた（同じＷｅｂサイトを要求してきた）場合、アプリケーションサーバ４は、コンテンツ編集処理部７により、利用者識別情報とコンテンツ依存関係を、データベースサーバ８で管理する要素情報９（図６の関係テーブル６１）を参照することで、ソフトウェア処理ができる数値として扱える為、利用者別にＷｅｂサイト内でのコンテンツの再配置を行なうことが可能となり、例えば、利用者がＡ氏であれば、図７に示すＷｅｂサイト画面７１の内容で表示する。
【００３８】
この際、動的にリンク先を生成する技術は、例えば、「Java(登録商標)  Servlet」、「ASP（Active Server Pages）」、「PHP」、「Perl」など様々な言語によって、既に一般的に広く利用されているものであり、ここでは、言語は言及しないものとする。
【００３９】
図７のＷｅｂサイト画面７１に示すように、Ａ氏がＷｅｂサイトを再訪問した場合、最初に表示するコンテンツは、依存関係の数値１桁目が「１」で２桁目が「０」であるコンテンツである為、ここでは「政治」コンテンツとなり、コンテンツ編集処理部７は、その実態をコンテンツアドレス「ｈｔｔｐ：／／ｗｗｗ．ａｂｃ．ｃｏ．ｊｐ／ｂｂｂ．ｈｔｍｌ」から読み出して配置する。
【００４０】
このようにして「政治」コンテンツを表示した際、そこから遷移するコンテンツへのリンクを生成する必要があるが、「政治」コンテンツを上位コンテンツとするのは、依存関係の数値１桁目が「１」で、２桁目が「０」以外のコンテンツである為、「経済」「社会」「テレビ」であることが判る。ただし、このように複数のコンテンツが存在する場合、２桁目の数値に基づき昇順に並べる。
【００４１】
また、例えば「経済」コンテンツに移動した際に、そこから下位に遷移するコンテンツへのリンクは上記の手順と同様の手順をとるが、上位に遷移するコンテンツへのリンクは、「経済」が２層目のコンテンツであり、自身の依存関係が「１−１−０」であることが判っている為、依存関係の数値１桁目が「１」で２桁目が「０」のコンテンツへのリンクを生成する。
【００４２】
このような処理動作を、図８のフローチャートに基づき説明する。
【００４３】
Ｗｅｂサイトの要求元の利用者情報を取得し（ステップＳ８０１）、既に登録済みの利用者であるか否かを、図６の関係テーブル６１を参照して判別し（ステップＳ８０２）、新規の利用者であれば、例えば図３に示す初期コンテンツ画面３１を表示する（ステップＳ８０３）。
【００４４】
既登録済みであれば、図６の関係テーブル６１で対応付けられた依存関係に基づき、まず、当該利用者のトップコンテンツ情報を取得し（ステップＳ８０４）、次に、このトップコンテンツを上位とするコンテンツ数（Ａ）を取得し（ステップＳ８０５）、そして、リンクを生成するコンテンツ数（Ｂ＝１）を設定する（ステップＳ８０６）。
【００４５】
以下、リンクを生成するコンテンツ数（Ｂ）がトップコンテンツを上位とするコンテンツ数（Ａ）に達するまで（「Ａ＞＝Ｂ」）（ステップＳ８０７）、ステップＳ８０９〜８１３の処理を繰り返し、「Ａ＞＝Ｂ」となった時点で、例えば、図７に示すＷｅｂサイト画面７１の表示内容でコンテンツを配信する（ステップＳ８０８）。
【００４６】
ステップＳ８０９〜８１３では、まず、トップコンテンツを上位とするコンテンツ番号を一括で優先順に取得し（ステップＳ８０９）、優先度＝Ｂのコンテンツ情報を取得し（ステップＳ８１０）、取得したコンテンツ情報のコンテンツアドレスを図２のテーブル２１を参照して取得し（ステップＳ８１１）、取得したコンテンツアドレスを、配信するＷｅｂコンテンツに埋め込み、リンクを生成する（ステップＳ８１２）。そして、リンク生成コンテンツ数（Ｂ）を一つ繰り上げ（Ｂ＝Ｂ＋１）、ステップＳ８０７の処理に戻る（ステップＳ８１３）
【００４７】
以上、図１〜図８を用いて説明したように、本例のＷｅｂサイトコンテンツ配置変更システムでは、ダイナミックＨＴＭＬにより、コンテンツの位置情報を取得し、かつそれらコンテンツ間の依存関係を数値化することで、利用者個々のニーズに合ったＷｅｂサイトを表現することが可能となっている。
【００４８】
すなわち、本例では、Ｗｅｂサイトを構成する各コンテンツの依存関係（遷移関係）の変更を、利用者のＧＵＩ操作により可能とするために、Ｗｅｂサイトが提供する個々のコンテンツを画像として表示し、その画像を任意に移動させる仕組み（メンテナンス画面、ダイナミックＨＴＭＬ）を具備する。そして、移動された画像の位置関係を基にそれらの関係を数値化することでコンテンツの依存関係（遷移関係）を把握し、当該依存関係で各コンテンツを配置したＷｅｂサイトを構成する。
【００４９】
このように、本例では、Ｗｅｂサイト内の各コンテンツに対応付けて、当該コンテンツを特定する画像を、一意の識別情報（ＩＤ）を割り当てて登録することで、保存性に優れた形でのデータ化を行う。そして、Ｗｅｂサイト上での画像に対しては、ダイナミックＨＴＭＬの技術を用いることで、マウスによる移動を可能とし、その位置情報を２次元の数値として取得する。
【００５０】
そして、これらの画像化されたコンテンツの位置情報、ならびに、ユーザＩＤ等の利用者識別情報からなる３つの要素情報（９）を基に、画像化されたコンテンツを任意に移動することが可能な、メンテナンス画面（４１，５１）をＷｅｂサイト上で利用者に提供することで、各要素情報（９）を収集し、データベースサーバ８において保管する。
【００５１】
以後、Ｗｅｂサイトに訪れたユーザを先のユーザＩＤ等により識別できた場合、その利用者のコンテンツ位置情報を取得することで、Ｗｅｂサイトのコンテンツ依存関係をその位置情報を基に構成する。
【００５２】
これにより、本例のＷｅｂサイトコンテンツ配置変更システムによれば、利用者は、Ｗｅｂサイトのコンテンツの配置変更操作を、マウス等を用いたグラフィカルな操作で直感的にでき、従来技術のように操作に対する慣れは必要としない。
【００５３】
すなわち、従来のＷｅｂサイトにおけるコンテンツの配置を変更する技術では、Ｗｅｂページ内のコンテンツの配置変更する際に文字情報を編集することを基本としている為、変更操作において少なからずキーボードという操作性の悪い装置を必要としていたり、また、任意に設定されたコンテンツの提供有無に関する設定内容がそれを設定した本人にも理解し辛く、コンテンツの配置を設定する手段に対する慣れを必要とする場合が多く、また、複数ページに渡る多岐のＷｅｂサイト内でのコンテンツの配置変更には対応できないとの問題点があったのに対し、本例のＷｅｂサイトコンテンツ配置変更システムでは、Ｗｅｂサイトの複数ページに渡ってのコンテンツ配置構成を、当該Ｗｅｂサイトの利用者が意図する内容に容易に変更することが可能であり、当該Ｗｅｂサイトの利便性が向上し、当該Ｗｅｂサイトへのアクセス数の増加を図ることができる。
【００５４】
尚、本発明は、図１〜図８を用いて説明した例に限定されるものではなく、その要旨を逸脱しない範囲において種々変更可能である。例えば、本例ではクライアント装置とサーバ装置を接続するネットワークとしてインターネットを用いているが、例えば、イントラネット等、ＴＣＰ／ＩＰ通信を行う通信網であれば良い。
【００５５】
また、本例では、コンテンツ間の依存関係を３階層として説明したが、各コンテンツ依存関係を数値化する法則では、階層の深度によってそれが変化するものではない為、実際のＷｅｂサイトにおいて階層の深度の制限はない。
【００５６】
また、本例では、ダイナミックＨＴＭＬを用いてコンテンツの位置情報を取得しているが、他の外部プログラム等を用いることでも良い。
【００５７】
また、本例のコンピュータ構成に関しても、キーボードや光ディスクの駆動装置の無いコンピュータ構成としても良い。また、本例では、光ディスクを記録媒体として用いているが、ＦＤ（Flexible Disk）等を記録媒体として用いることでも良い。また、プログラムのインストールに関しても、通信装置を介してネットワーク経由でプログラムをダウンロードしてインストールすることでも良い。
【図面の簡単な説明】
【００５８】
【図１】本発明に係わるＷｅｂサイトコンテンツ配置変更システムの構成例を示すブロック図である。
【図２】図１におけるＷｅｂサイトコンテンツ配置変更システムによるコンテンツと画像とを対応付けたテーブルの構成例を示す説明図である。
【図３】図１におけるＷｅｂサイトコンテンツ配置変更システムで表示されたＷｅｂサイトの初期画面例を示す説明図である。
【図４】図１におけるＷｅｂサイトコンテンツ配置変更システムで表示されたメンテナンス画面の初期画面例を示す説明図である。
【図５】図１におけるＷｅｂサイトコンテンツ配置変更システムで表示されたメンテナンス画面の変更操作後の画面例を示す説明図である。
【図６】図１におけるＷｅｂサイトコンテンツ配置変更システムで管理する利用者毎のコンテンツ構成例を示す説明図である。
【図７】図１におけるＷｅｂサイトコンテンツ配置変更システムで表示されたＷｅｂサイトの変更操作後の画面例を示す説明図である。
【図８】本発明に係わるＷｅｂサイトコンテンツ配置変更システムの処理動作例を示すフローチャートである。
【符号の説明】
【００５９】
１：クライアント装置、２：インターネット、３：Ｗｅｂサーバ、４：アプリケーションサーバ、５：メンテナンス画面処理部、６：編集内容記憶処理部、７：コンテンツ編集処理部、８：データベースサーバ、９：要素情報、２１：テーブル、３１：Ｗｅｂサイトの初期画面、４１，５１：メンテナンス画面、６１：関係テーブル、７１：Ｗｅｂサイト画面。
【図１】
2006268654.tif 000003
【図２】
2006268654.tif 000004
【図３】
2006268654.tif 000005
【図４】
2006268654.tif 000006
【図５】
2006268654.tif 000007
【図６】
2006268654.tif 000008
【図７】
2006268654.tif 000009
【図８】
2006268654.tif 000010